(57)【要約】      （修正有）【課題】ペン軸の直径を効果的に増大させ、便利に把持して使用することができる手書きペンを提供する。【解決手段】手書きペンを使用する時、回転部材１３を回して、回転部材１３の増大されたヘッド１３１を回転させ、ヘッド１３１をペン軸１２のスリット１２１内に係止させる。ヘッド１３１の厚さがスリット１２１の幅よりも大きいため、スリット１２１はヘッド１３１により広げられ、ペン軸１２の直径が増大される。使用者が当該直径の大きい位置を把持することにより手書きペンを把持、使用し易くする。なお、回転軸１４は、ペン先１１から離れた一端に設置されているので、回転部材１３の回転後、回転部材１３の長い部分がスリット１２１から一定の距離まで伸び出され、手書きペン全体の長さが増加させ、更に使用者が手書きペンを把持、使用し易くする。【選択図】図３
0003176023.tif 000002
【実用新案登録請求の範囲】
【請求項１】
ペン軸と、前記ペン軸の一端に設置されたペン先と、を備える手書きペンにおいて、
前記ペン軸には、スリットが設けられ、
前記スリットには、回転軸を介して回転可能な回転部材が取り付けられており、
前記回転部材の一端が増大されたヘッドであり、
前記ヘッドの厚さが前記スリットの幅よりも大きいことを特徴とする手書きペン。
【請求項２】
前記スリットは、前記ペン軸を貫通し、
前記回転軸は、前記ペン先から離れた一端に設置され、
前記回転部材は、前記回転軸から前記ヘッドの末端までの距離が前記回転軸から前記スリットの根部までの距離より小さいことを特徴とする請求項１に記載の手書きペン。
【請求項３】
前記スリットの内壁と前記回転部材の外壁との間には、凹凸部がフィッティングする位置決め構造が設けられていることを特徴とする請求項１に記載の手書きペン。
【請求項４】
前記位置決め構造は、
前記スリットの内壁に設置された突起と、前記回転部材の外壁に設置され前記突起にフィットする窪みと、を備え、或いは、
前記スリットの内壁に設置された窪みと、前記回転部材の外壁に設置され前記窪みにフィットする突起と、を備えることを特徴とする請求項３に記載の手書きペン。
【請求項５】
前記ペン先から離れた前記ペン軸の末端には傾斜面が設けられ、
前記回転部材のヘッドにも前記ペン軸の傾斜面にフィットする傾斜面が設けられていることを特徴とする請求項１に記載の手書きペン。
【請求項６】
前記スリットの根部には傾斜面が設けられ、
前記回転部材のヘッドから離れた一端にも前記スリットの根部の傾斜面にフィットする傾斜面が設けられていることを特徴とする請求項１に記載の手書きペン。
【請求項７】
前記スリットの根部にはアーチ状の突起が設けられ、
前記回転部材のヘッドから離れた一端にも前記スリットの根部のアーチ状の突起にフィットするアーチ状の窪みが設けられていることを特徴とする請求項１に記載の手書きペン。
【請求項８】
前記ペン先から離れた前記ペン軸の末端にはアーチ状の窪みが設けられ、
前記回転部材のヘッドに近い根部に、前記ペン軸のアーチ状の窪みにフィットするアーチ状の突起が設けられていることを特徴とする請求項１に記載の手書きペン。
【請求項９】
前記スリットが細長い矩形であり、
前記回転部材が前記スリットにフィットする細長い矩形であることを特徴とする請求項１に記載の手書きペン。
【請求項１０】
前記ペン軸がプラスチックペン軸、塑性セメントペン軸又は弾性金属ペン軸であることを特徴とする請求項１に記載の手書きペン。
【考案の詳細な説明】
【技術分野】
【０００１】
本考案は、電子付属品に関し、より具体的には、コンピュータ、ＰＤＡ、携帯電話等のデジタル製品の手書き入力に適用される手書きペンに関する。
【背景技術】
【０００２】
科学技術の発展に伴って、ますます多くの手書き入力に対応した電化製品が表れ、例えば、コンピュータ、ＰＤＡ、携帯電話、デジタルカメラ、デジタルビデオカメラ等は、手書きペンを用いて文字や記号等を入力できる。
【０００３】
従来の手書きペンは、通常、電化製品の挿入溝内に挿入されており、棒状のペン軸と、ペン軸の一端に設置されたペン先と、ペン軸の他端に設置されたペンヘッドとを備える。      
【０００４】
しかしながら、電化製品の小型化要求に伴って、手書きペンもますます精巧に設計され、ペン軸等が細くて短くなっている。ペン軸が細くて短すぎるため、使用者が手書きペンを把持し難くなり、書きにくく、便利に使用できない。そして、手書きペン全体の長さもますます短くなり、さらに把持して書くことを不便にしている。従って、手書きペンの使用は困難で、不便であった。
【考案の概要】
【考案が解決しようとする課題】
【０００５】
本考案の解決しようとする技術課題は、従来技術における手書きペンの把持や使用が困難であり、且つ不便である問題に対して、ペン軸の直径を効果的に増大させ、便利に把持して使用することができる手書きペンを提供することにある。
【課題を解決するための手段】
【０００６】
上記技術課題を解決するため、本考案で採用する技術手段は、ペン軸と、ペン軸の一端に設置されたペン先とを備え、ペン軸には、スリットが設けられ、スリットには、回転軸を介して回転可能な回転部材が取り付けられており、回転部材の一端が増大されたヘッドであり、ヘッドの厚さがスリットの幅よりも大きい手書きペンを構成することである。
【０００７】
本考案の手書きペンにおいて、スリットは、ペン軸を貫通し、そして、回転軸は、ペン先から離れた一端に設置され、回転部材は、回転軸からヘッドの末端までの距離が回転軸からスリットの根部までの距離よりも小さい。
【０００８】
本考案の手書きペンにおいて、スリットの内壁と回転部材の外壁との間には、凹凸部がフィットする位置決め構造が設けられている。
【０００９】
本考案の手書きペンにおいて、上記位置決め構造は、スリットの内壁に設置された突起と、回転部材の外壁に設置された突起にフィットする窪みと、を備え、或いは、スリットの内壁に設置された窪みと、回転部材の外壁に設置された窪みにフィットする突起とを備える。
【００１０】
本考案の手書きペンにおいて、ペン先から離れたペン軸の末端には傾斜面が設けられ、回転部材のヘッドにもペン軸の傾斜面にフィットする傾斜面が設けられている。
【００１１】
本考案の手書きペンにおいて、スリットの根部には傾斜面が設けられ、回転部材のヘッドから離れた一端にもスリットの根部の傾斜面にフィットする傾斜面が設けられている。
【００１２】
本考案の手書きペンにおいて、スリットの根部にはアーチ状の突起が設けられ、回転部材のヘッドから離れた一端にもスリットの根部のアーチ状の突起にフィットするアーチ状の窪みが設けられている。
【００１３】
本考案の手書きペンにおいて、ペン先から離れたペン軸の末端にはアーチ状の窪みが設けられ、回転部材のヘッドに近い根部にはペン軸のアーチ状の窪みにフィットするアーチ状の突起が設けられている。
【００１４】
本考案の手書きペンにおいて、スリットは細長い矩形であり、回転部材はスリットにフィットする細長い矩形である。
【００１５】
本考案の手書きペンにおいて、ペン軸はプラスチックペン軸、塑性セメントペン軸又は弾性金属ペン軸である。
【考案の効果】
【００１６】
本考案を実施することは、本考案の手書きペンを使用する時、回転部材を回して、回転部材の増大されたヘッドを回転させ、ヘッドをペン軸のスリット内に係止させる。ヘッドの厚さがスリットの幅よりも大きいため、スリットはヘッドにより広げられ、ペン軸の直径が増大される。使用者が当該直径の大きい位置を把持することにより手書きペンが把持および使用し易いといった有益な効果がある。
【００１７】
なお、回転軸はペン先から離れた一端に設置されており、回転部材の回転後、回転部材の長い部分がスリットから一定の距離まで伸び出され、手書きペン全体の長さを増加させ、さらに使用者が手書きペンを把持使用し易くした。
【図面の簡単な説明】
【００１８】
【図１】本考案の手書きペンの回転部材の主体部分がスリット内に位置する立体模式図である。
【図２】図１の平面模式図である。
【図３】本考案の手書きペンの回転部材のヘッドがスリット内に係止された立体模式図である。
【図４】図３の平面模式図である。
【図５】本考案の手書きペンの回転部材が一定の角度を回転した後の立体模式図である。
【図６】本考案の手書きペンの回転部材とペン軸の分解模式図であり、ペン軸がスリットに沿って切断された断面図を示す。
【図７】本考案の手書きペンのもう１つの実施例の立体模式図である。
【図８】図７の手書きペンの回転部材が回転した後、他の角度においての模式図である。
【考案を実施するための形態】
【００１９】
以下、添付図面及び実施例を参照しながら本考案を具体的に説明する。
【００２０】
図１〜図５は、本考案の手書きペンの１つの具体的な実施例を示し、当該手書きペンは、ペン軸１２と、ペン軸１２の一端に設置されたペン先１１と、回転可能にペン軸１２に取り付けられた回転部材１３とを備える。ペン先１１は、ペン軸１２の一端にペン軸１２と一体成型されてもよく、他の材質を用いて製作されて、ペン軸１２の一端に締め付けて取り付けられてもよい。
【００２１】
ペン軸１２は、プラスチックペン軸１２、塑性セメントペン軸１２又は弾性金属ペン軸１２であってよく、一定の塑性変形特性を有し、回転部材１３のヘッド１３１を係止させる時に、一定の塑性変形が発生され易い。ペン軸１２には、細長い矩形であり、ペン先１１に近い一端から離れた一端まで延び、ペン軸１２全体を貫通するスリット１２１が設けられている。
【００２２】
回転部材１３は、回転軸１４を介して回転可能にスリット１２１に取り付けられている。回転部材１３の主体部分は、スリット１２１の形状、寸法と合致（本実施例においては細長い矩形であるが、スリット１２１と回転部材１３の主体部分の形状は、必要に応じて別形状に設けられてもよい）する。回転部材１３の一端には、増大されたヘッド１３１が設けられている。増大されたヘッド１３１は、厚さがスリット１２１の幅よりも大きく、使用時に、スリット１２１の中に係止され、ペン軸１２の直径を増加させる。これにより、使用者が手書きペンを把持して、使用し易い。
【００２３】
本実施例において、回転軸１４は、ペン先１１から離れた一端に設置される。回転部材１３では、回転軸１４からヘッド１３１の末端までの距離が回転軸１４からスリット１２１の根部までの距離より小さい。回転部材１３が回転して使用状態になった時、回転部材１３の長い部分（即ち、回転軸１４からスリット１２１の根部までの部分）は、スリット１２１から伸び出され、手書きペン全体の長さを増加させる。これにより、使用者が手書きペンを把持、使用し易くしている。
【００２４】
更に、回転部材１３をより好適にスリット１２１に位置決めさせるため、スリット１２１の内壁と回転部材１３の外壁との間には凹凸部がフィットする位置決め手段が設けられている。当該位置決め手段は、スリット１２１の内壁に設置された突起１２３と、回転部材１３の外壁に設置され突起１２３にフィットする窪み１３３とを備える。突起１２３と窪み１３３とがフィットすることによって、回転部材１３をスリット１２１内に位置決めすることができる。もちろん、当該位置決め構造は他の形式、例えば、窪みをスリットの内壁に設け、突起を回転部材の外壁に設けても良い。
【００２５】
更に、回転部材１３の逆方向回転を防止するために、ペン先１１から離れたペン軸１２の末端には、傾斜面１２２が設けられ、回転部材１３のヘッド１３１にもペン軸１２の傾斜面１２２にフィットする傾斜面１３２が設けられている。２つの傾斜面１２２、１３２がフィットすることによって、回転部材１３は、１方向にのみ回転可能となり、位置決めされて、回転部材１３の使用をより良くさせる。
【００２６】
更に、図６に示すように、スリット１２１の根部に傾斜面１２４が設けられ、回転部材１３のヘッド１３１から離れた一端には、傾斜面１２４と対応する傾斜面１３３が設置されても良い。スリット１２１の傾斜面１２４と回転部材１３の傾斜面１３３とがフィットすることによって、回転部材１３の逆方向回転を防止する効果を同様に奏することができる。
【００２７】
本考案の手書きペンは、回転部材１３の主体部分がスリット１２１内に回転された時には、一般の手書きペンの寸法に相当し、寸法が増加することはない。しかし、使用する時には、回転軸１４を軸にして、回転部材１３を回して、回転部材１３の増大されたヘッド１３１をスリット１２１内に係止させる。ヘッド１３１の厚さがスリット１２１の幅よりも大きいため、スリット１２１はヘッド１３１により広げられ、ペン軸１２の直径が増大される。当該直径の大きい位置を把持することにより、使用者が手書きペンを把持、使用し易くなっている。なお、回転軸１４は、ペン先１１から離れた一端に設置されているので、回転部材１３の回転後、回転部材１３の長い部分はスリット１２１から一定の距離まで伸び出され、手書きペン全体の長さを増加させ、更に使用者が手書きペンを把持、使用し易くなる。
【００２８】
本考案のもう１つの実施例において、傾斜面に代わり他の構造を用いてもよく、例えば、図７、図８に示すように、スリット１２１の根部にアーチ状の突起１２５が設置され、これに対応して、回転部材１３のヘッド１３１から離れた一端にアーチ状の窪み１３４が設置されても良い。また、ペン先から離れたペン軸１２の末端にアーチ状の窪み１２６が設置され、これに対応して、回転部材１３のヘッド１３１の根部に近い位置にアーチ状の窪み１２６にフィットするアーチ状の突起１３５が設置されてもよい。アーチ状の突起とアーチ状の窪みがフィットすることによっても、回転部材に対する位置決めを実現することができる。
【符号の説明】
【００２９】
１１  ペン先、
１２  ペン軸、
１２１  スリット、
１２２  傾斜面、
１２３  突起、
１２４  傾斜面、
１２５  突起、
１２６  窪み
１３  回転部材、
１３１  ヘッド、
１３２  傾斜面、
１３３  窪み、
１３３  傾斜面
１３４  窪み
１３５  突起、
１４  回転軸。
【図１】
0003176023.tif 000003
【図２】
0003176023.tif 000004
【図３】
0003176023.tif 000005
【図４】
0003176023.tif 000006
【図５】
0003176023.tif 000007
【図６】
0003176023.tif 000008
【図７】
0003176023.tif 000009
【図８】
0003176023.tif 000010